【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
フロントパネルを有するタブレット筐体と、
少なくとも１つのプロセッサと少なくとも１つのメモリとを有する、前記筐体内のコンピュータと、
前記フロントパネル上に配置された、超音波画像を表示するタッチスクリーンディスプレイと、
前記筐体内に配置された超音波ビームフォーマー処理回路と、
を備え、
前記タッチスクリーンディスプレイと前記超音波ビームフォーマー処理回路とは、前記コンピュータに通信可能に接続されており、
前記コンピュータは、前記タッチスクリーンディスプレイからの第１の入力に呼応して、前記超音波ビームフォーマー処理回路の動作を変更するように動作可能である、
ハンドヘルド医療超音波撮像デバイス。
【請求項２】
タッチスクリーン制御バーを含むグラフィックユーザインタフェースをさらに備え、
任意で、前記タッチスクリーンディスプレイを用いたニードルガイド動作を作動させることをさらに備える、
前記第１の入力は、前記タッチスクリーンディスプレイ上の移動ジェスチャに対応する、
請求項１に記載のハンドヘルド医療超音波撮像デバイス。
【請求項３】
前記コンピュータで、前記タッチスクリーンディスプレイからの第２の入力を受信することと、
前記タッチスクリーンディスプレイからの前記第２の入力に呼応して、拡大画像を表示する仮想窓の領域内に第１のカーソルを表示することと、
を更に含み、
前記第２の入力は、前記タッチスクリーンディスプレイに対してダブルタップするジェスチャに対応する、
請求項１又は２に記載のハンドヘルド医療超音波撮像デバイス。
【請求項４】
前記コンピュータで、前記仮想窓の前記領域内で受信される第３の入力を、前記タッチスクリーンディスプレイから受信すること、又は、
前記タッチスクリーンディスプレイからの前記第３の入力に呼応して、前記第１のカーソルを、前記仮想窓の前記領域内の第１の場所に移動させること、
を更に含み、
前記第３の入力は、前記タッチスクリーンディスプレイ上のドラッグするジェスチャに対応する、
請求項３に記載のハンドヘルド医療超音波撮像デバイス。
【請求項５】
前記タッチスクリーンディスプレイからの第３の更なる入力に呼応して、第２のカーソルを、前記仮想窓の前記領域内の第２の場所に表示することを更に含む、
請求項３に記載のハンドヘルド医療超音波撮像デバイス。
【請求項６】
前記コンピュータは、少なくとも部分的に、表示された超音波画像の前記領域内の前記第１のカーソル及び前記第２のカーソルのそれぞれの場所に基づいて、前記超音波画像の少なくとも１個の測定を処理し、
前記コンピュータは、前記タッチスクリーンディスプレイから、前記少なくとも１個の測定を実行させるための更なる入力を受信する、
請求項５に記載のハンドヘルド医療超音波撮像デバイス。
【請求項７】
前記タッチスクリーンディスプレイからの入力に呼応して、前記仮想窓の前記領域内に第２のカーソルを表示し、前記仮想窓の前記領域内の第２の場所に前記第２のカーソルを固定することを更に含む、
請求項３に記載のハンドヘルド医療超音波撮像デバイス。
【請求項８】
少なくとも部分的に、前記仮想窓の前記領域内の前記第１のカーソル及び前記第２のカーソルのそれぞれの場所の間を延びる接続ラインに基づいて、前記超音波画像の測定を実行させるためのコンピュータプログラムを更に含む、
請求項７に記載のハンドヘルド医療超音波撮像デバイス。
【請求項９】
トランスデューサコネクタを持つ前記筐体に接続されたトランスデューサアレイを更に備え、
前記ハンドヘルド医療超音波撮像デバイスは、
前記タッチスクリーンディスプレイ及び前記コンピュータに電力を供給するバッテリと、
外部ネットワークに画像を転送するためのネットワーク接続と、
を含み、
前記筐体は、２５００立方センチメートル未満の容積を有し、
任意で、前記筐体はスタンド又はカートに接続される、
請求項１に記載のハンドヘルド医療超音波撮像デバイス。
【請求項１０】
カート上のマルチプレクサは、前記筐体に電気的に接続されて、複数のトランスデューサアレイに接続することができ、
任意で、
前記筐体は、スタンドとドッキングし、
スタンド筐体は、前記スタンドに電気的に接続され、前記スタンドは、複数の外部通信部分を有し、
前記マルチプレクサは、前記タッチスクリーンディスプレイ上のタッチジェスチャを利用して切り替えることができる、
請求項１に記載のハンドヘルド医療超音波撮像デバイス。
【請求項１１】
前記タッチスクリーンディスプレイへの第２の入力は、視覚化されるべき領域に対するビームステアリングの角度の選択を作動させ、
任意で、前記第２の入力は、前記領域内の流体の流れに対するビームの角度を選択するための移動ジェスチャであり、
さらに任意で、カラーフロー表示及び／又はドップラーソノグラムを選択させるべく、前記タッチスクリーンを作動させる、
請求項１に記載のハンドヘルド医療超音波撮像デバイス。
【請求項１２】
体内の領域の直交する面を視覚化するためのバイプレーントランスデューサプローブをさらに備え
任意で、分割スクリーン方式で、複数の面を同時に表示する、
請求項１に記載のハンドヘルド医療超音波撮像デバイス。
【請求項１３】
前記コンピュータ上で動作し、心臓に関する測定を実行させるためのコンピュータプログラムを更に含み、
任意で、心臓の壁の動きの定量的な値を決定する、又は、心膜境界をトレーシングする、
請求項１に記載のハンドヘルド医療超音波撮像デバイス。
【請求項１４】
ハンドヘルド医療超音波撮像デバイスを動作させる方法であって、
前記医療超音波撮像デバイスは、
フロントパネルを有するタブレット筐体と、
少なくとも１つのプロセッサと少なくとも１つのメモリとを有する、前記筐体内のコンピュータと、
前記フロントパネル上に配置された、超音波画像を表示するタッチスクリーンディスプレイと、
前記筐体内に配置された超音波ビームフォーマー処理回路と
を備え、
前記タッチスクリーンディスプレイと前記超音波ビームフォーマー処理回路とは、前記コンピュータに通信可能に接続されており、
前記方法は、
前記コンピュータで、前記タッチスクリーンディスプレイから第１の入力を受信することと、
前記タッチスクリーンディスプレイからの前記第１の入力に呼応して、前記超音波ビームフォーマー処理回路の動作を変更することと、
を含む、
ハンドヘルド医療超音波撮像デバイスを動作させる方法。
【請求項１５】
前記第１の入力は、前記タッチスクリーンディスプレイ上の移動ジェスチャに対応する、
請求項１４に記載の方法。
【請求項１６】
前記コンピュータで、前記タッチスクリーンディスプレイからの第２の入力を受信することを更に含み、
前記第２の入力は、前記タッチスクリーンディスプレイに対してダブルタップするジェスチャに対応する、
請求項１４に記載の方法。
【請求項１７】
前記タッチスクリーンディスプレイからの第２の入力に呼応して、拡大画像を表示する仮想窓の領域内に第１のカーソルを表示することを更に含む、
請求項１４に記載の方法。
【請求項１８】
前記コンピュータで、前記仮想窓の前記領域内で受信される更なる入力を、前記タッチスクリーンディスプレイから受信することを更に含む、
請求項１７に記載の方法。
【請求項１９】
前記更なる入力は、前記タッチスクリーンディスプレイ上のドラッグするジェスチャに対応する、
請求項１８に記載の方法。
【請求項２０】
前記タッチスクリーンディスプレイからの更なる入力に呼応して、前記第１のカーソルを、前記仮想窓の前記領域内の第１の場所に移動させることを更に含み、
任意で、前記タッチスクリーンディスプレイからの第２の更なる入力に呼応して、前記第１のカーソルを、前記仮想窓の前記領域内の前記第１の場所に固定することを更に含む、
請求項１７に記載の方法。
【請求項２１】
前記コンピュータによって、前記第１の場所の前記第１のカーソルに少なくとも部分的に基づいて、前記超音波画像に少なくとも１個の測定を行うことを更に含み、
任意で、前記タッチスクリーンディスプレイからの前記第２の更なる入力に呼応して、第２のカーソルを、前記仮想窓の前記領域内の第２の場所に表示することを更に含む、
請求項２０に記載の方法。
【請求項２２】
携帯可能な医療超音波画像の動作方法であって、医療超音波撮像デバイスは、トランスデューサと、タッチスクリーンディスプレイと、超音波ビームフォーマー処理回路と、プロセッサとを含み、
前記方法は、
前記超音波ビームフォーマー処理回路を、前記プロセッサに通信可能に連結するよう構成することと、
前記超音波ビームフォーマー処理回路のパラメータを、前記プロセッサで制御することと、
前記タッチスクリーンディスプレイを、第１の超音波画像と第２の超音波画像とを同時に表示するよう構成することと、
前記超音波ビームフォーマー処理回路のパラメータをリセットする第１の入力タッチジェスチャを、前記プロセッサによって受信することと、
前記タッチスクリーンディスプレイからの前記第１の入力タッチジェスチャに呼応して、前記タッチスクリーンディスプレイ上に表示された前記第１の超音波画像を変更することと、
前記超音波ビームフォーマー処理回路のパラメータをリセットする第２の入力タッチジェスチャを、前記プロセッサによって受信することと、
前記タッチスクリーンディスプレイからの前記第２の入力タッチジェスチャに呼応して、前記タッチスクリーンディスプレイ上に表示された前記第２の超音波画像を変更することと
を含む、携帯可能な医療超音波画像の動作方法。
【請求項２３】
前記タッチスクリーンディスプレイを、フルスクリーンモードで動作するよう構成することを更に含み、
前記タッチスクリーンディスプレイを、アイコンに関連する静的タッチスクリーンジェスチャと、アイコンから独立した更なるタッチスクリーンジェスチャとを同時に認識するよう構成することを更に含む、
請求項２２に記載の携帯可能な医療超音波画像の動作方法。
【請求項２４】
第１の超音波画像表示特性を変更するように、前記タッチスクリーン上に表示される前記第１の超音波画像に前記第１の入力タッチジェスチャを実行することと、
異なる第２の超音波画像表示特性を変更するように、前記タッチスクリーン上に表示される前記第２の超音波画像に前記第２の入力タッチジェスチャを実行することと、
を更に含む、
請求項２２に記載の携帯可能な医療超音波画像の動作方法。
【請求項２５】
前記超音波ビームフォーマー処理回路の特性の第１のパラメータを変更するように、前記タッチスクリーン上に表示される前記第１の超音波画像に前記第１の入力タッチジェスチャを実行することと、
前記超音波ビームフォーマー処理回路の特性の別の第２のパラメータを変更するように、前記タッチスクリーン上に表示される前記第２の超音波画像に前記第２の入力タッチジェスチャを実行することと、
を更に含む、
請求項２２に記載の携帯可能な医療超音波画像の動作方法。
【請求項２６】
第１のトランスデューサと第２のトランスデューサとが同時に動作するよう構成することを更に含む、
請求項２２の携帯可能な医療超音波画像の動作方法。
【請求項２７】
第１のトランスデューサから第１の超音波画像データを受信するよう、前記タッチスクリーンディスプレイ上に表示された前記第１の超音波画像を構成することと、
第２のトランスデューサから第２の超音波画像データを同時に受信するよう、前記タッチスクリーンディスプレイ上に表示された前記第２の超音波画像を構成することと、
を更に含む、
請求項２２に記載の携帯可能な医療超音波画像の動作方法。
【請求項２８】
第１のトランスデューサ又は第２のトランスデューサから、前記タッチスクリーンディスプレイ上に表示された前記第１の超音波画像を表示するべく構成することを更に含み、
複数のビームフォーミング動作の間のリアルタイム転送を実行するように入力タッチジェスチャを受信するべく、前記タッチスクリーンディスプレイを構成することを更に含み、
任意で、
前記タッチスクリーンディスプレイをフルスクリーンモードで動作するよう構成することと、
アイコンに関連する静的タッチスクリーンジェスチャを、アイコンから独立したフリータッチスクリーンジェスチャに転送することと、
更に任意で、前記タッチスクリーンディスプレイを用いたニードルガイド動作を作動させることと、
を更に含む、
請求項２２に記載の携帯可能な医療超音波画像の動作方法。
【手続補正２】
【補正対象書類名】明細書
【補正対象項目名】発明の名称
【補正方法】変更
【補正の内容】
【発明の名称】タブレット超音波システム、ハンドヘルド医療超音波撮像デバイス、ハンドヘルド医療超音波撮像デバイスを動作させる方法、及び、医療超音波画像の動作方法
【手続補正３】
【補正対象書類名】明細書
【補正対象項目名】０１４０
【補正方法】変更
【補正の内容】
【０１４０】
当業者であれば、上述したシステム及び方法に対する修正及び変形を、ここに開示する発明思想から逸脱せずに行うことができることを理解する。従って、開示は、添付請求項の範囲及び精神以外は限定として見られるべきではない。
［項目１］
フロントパネルを有するタブレット筐体と、
少なくとも１つのプロセッサと少なくとも１つのメモリとを有する、上記筐体内のコンピュータと、
上記フロントパネル上に配置された、超音波画像を表示するタッチスクリーンディスプレイと、
上記筐体内に配置された超音波ビームフォーマー処理回路と
を備え、
上記タッチスクリーンディスプレイと上記超音波ビームフォーマー処理回路とは、上記コンピュータに通信可能に接続されており、
上記コンピュータは、上記タッチスクリーンディスプレイからの第１の入力に呼応して、上記超音波ビームフォーマー処理回路の動作を変更するように動作可能である、ハンドヘルド医療超音波撮像デバイス。
［項目２］
上記第１の入力は、上記タッチスクリーンディスプレイ上の移動ジェスチャに対応する、項目１に記載のハンドヘルド医療超音波撮像デバイス。
［項目３］
上記コンピュータで、上記タッチスクリーンディスプレイからの第２の入力を受信することを更に含む、項目１又は２に記載のハンドヘルド医療超音波撮像デバイス。
［項目４］
上記第２の入力は、上記タッチスクリーンディスプレイに対してダブルタップするジェスチャに対応する、項目３に記載のハンドヘルド医療超音波撮像デバイス。
［項目５］
上記タッチスクリーンディスプレイからの上記第２の入力に呼応して、拡大画像を表示する仮想窓の領域内に第１のカーソルを表示することを更に含む、項目３又は４に記載のハンドヘルド医療超音波撮像デバイス。
［項目６］
上記コンピュータで、上記仮想窓の上記領域内で受信する第３の入力を、上記タッチスクリーンディスプレイから受信することを更に含む、項目５に記載のハンドヘルド医療超音波撮像デバイス。
［項目７］
上記第３の入力は、上記タッチスクリーンディスプレイ上のドラッグするジェスチャに対応する、項目６に記載のハンドヘルド医療超音波撮像デバイス。
［項目８］
上記タッチスクリーンディスプレイからの上記第３の入力に呼応して、上記第１のカーソルを、上記仮想窓の上記領域内の第１の場所に移動させることを更に含む、項目６又は７に記載のハンドヘルド医療超音波撮像デバイス。
［項目９］
上記コンピュータで、上記仮想窓の上記領域内の上記第１の場所で受信する第４の入力を、上記タッチスクリーンディスプレイから受信することを更に含む、項目８に記載のハンドヘルド医療超音波撮像デバイス。
［項目１０］
上記第４の入力は、上記タッチスクリーンディスプレイに対して押下するジェスチャに対応する、項目９に記載のハンドヘルド医療超音波撮像デバイス。
［項目１１］
上記コンピュータで、上記タッチスクリーンディスプレイから第２の更なる入力を受信することを更に含み、上記第２の更なる入力は、上記第４の入力と実質的に同時に受信される、項目１０に記載のハンドヘルド医療超音波撮像デバイス。
［項目１２］
上記第２の更なる入力は、上記タッチスクリーンディスプレイに対するタップするジェスチャに対応する、項目１１に記載のハンドヘルド医療超音波撮像デバイス。
［項目１３］
上記タッチスクリーンディスプレイからの上記第２の更なる入力に呼応して、上記第１のカーソルを、上記仮想窓の上記領域内の上記第１の場所に固定することを更に含む、項目１１又は１２に記載のハンドヘルド医療超音波撮像デバイス。
［項目１４］
上記コンピュータによって、上記第１の場所の上記第１のカーソルに少なくとも部分的に基づいて、上記超音波画像に少なくとも１個の測定を行うことを更に含む、項目１３に記載のハンドヘルド医療超音波撮像デバイス。
［項目１５］
上記コンピュータにおいて、上記タッチスクリーンディスプレイから第３の更なる入力を受信することを更に含む、項目１３又は１４に記載のハンドヘルド医療超音波撮像デバイス。
［項目１６］
上記第３の更なる入力は、上記タッチスクリーンディスプレイに対してダブルタップするジェスチャに対応する、項目１５に記載のハンドヘルド医療超音波撮像デバイス。
［項目１７］
上記タッチスクリーンディスプレイからの上記第３の更なる入力に呼応して、第２のカーソルを、上記仮想窓の上記領域内の第２の場所に表示することを更に含む、項目１５又は１６に記載のハンドヘルド医療超音波撮像デバイス。
［項目１８］
上記コンピュータは、少なくとも部分的に上記仮想窓の上記領域内の上記第１のカーソル及び上記第２のカーソルのそれぞれの場所に基づいて、上記超音波画像の少なくとも１個の測定を処理する、項目１７に記載のハンドヘルド医療超音波撮像デバイス。
［項目１９］
上記コンピュータは、上記タッチスクリーンディスプレイから第４の更なる入力を受信して、上記第４の更なる入力は、上記仮想窓の上記領域内で受信される、項目１３から１６のいずれか一項に記載のハンドヘルド医療超音波撮像デバイス。
［項目２０］
上記第４の更なる入力は、上記タッチスクリーンディスプレイに対する押下及びドラッグするジェスチャに対応する、項目１９に記載のハンドヘルド医療超音波撮像デバイス。
［項目２１］
上記タッチスクリーンディスプレイからの上記第４の更なる入力に呼応して、上記タッチスクリーンディスプレイ上に、上記第１のカーソルから上記超音波画像の少なくとも一部分を通り上記仮想窓の上記領域内の第２の場所に延びるラインを、接続することを更に含む、項目１９又は２０に記載のハンドヘルド医療超音波撮像デバイス。
［項目２２］
上記コンピュータで、上記タッチスクリーンディスプレイから第５の更なる入力を受信することを更に含む、項目１９又は２０に記載のハンドヘルド医療超音波撮像デバイス。
［項目２３］
上記第５の更なる入力は、上記タッチスクリーンディスプレイに対するタップするジェスチャに対応する、項目２２に記載のハンドヘルド医療超音波撮像デバイス。
［項目２４］
上記タッチスクリーンディスプレイからの上記第５の更なる入力に呼応して、上記仮想窓の上記領域内に第２のカーソルを表示し、上記仮想窓の上記領域内の第２の場所に上記第２のカーソルを固定することを更に含む、項目２２又は２３に記載のハンドヘルド医療超音波撮像デバイス。
［項目２５］
少なくとも部分的に上記仮想窓の上記領域内の上記第１のカーソル及び上記第２のカーソルのそれぞれの場所の間を延びる接続ラインに基づいて、上記超音波画像の測定を更に含む、項目２４に記載のハンドヘルド医療超音波撮像デバイス。
［項目２６］
トランスデューサコネクタを持つ上記筐体に接続されたトランスデューサアレイを更に備える、項目１から２５のいずれか一項に記載のハンドヘルド医療超音波撮像デバイス。
［項目２７］
上記筐体は、２５００立方センチメートル未満の容積を有する、項目１から２６のいずれか一項に記載のハンドヘルド医療超音波撮像デバイス。
［項目２８］
上記筐体はスタンドに接続されている、項目１から２７のいずれか一項に記載のハンドヘルド医療超音波撮像デバイス。
［項目２９］
上記スタンドは、上記筐体に対して回転する、項目２８に記載のハンドヘルド医療超音波撮像デバイス。
［項目３０］
上記筐体はカート上に搭載される、項目１から２９のいずれか一項に記載のハンドヘルド医療超音波撮像デバイス。
［項目３１］
カート上のマルチプレクサは、上記筐体に電気的に接続されて、複数のトランスデューサアレイに接続することができる、項目１から３０のいずれか一項に記載のハンドヘルド医療超音波撮像デバイス。
［項目３２］
上記筐体は、上記スタンドとドッキングする、項目２８に記載のハンドヘルド医療超音波撮像デバイス。
［項目３３］
上記スタンドの筐体は、上記スタンドに電気的に接続され、上記スタンドは、複数の外部通信部分を有する、項目３２に記載のハンドヘルド医療超音波撮像デバイス。
［項目３４］
上記マルチプレクサは、タッチジェスチャを利用して切り替えることができる、項目３１に記載のハンドヘルド医療超音波撮像デバイス。
［項目３５］
ハンドヘルド医療超音波撮像デバイスを動作させる方法であって、
上記医療超音波撮像デバイスは、
フロントパネルを有するタブレット筐体と、
少なくとも１つのプロセッサと少なくとも１つのメモリとを有する、上記筐体内のコンピュータと、
上記フロントパネル上に配置された、超音波画像を表示するタッチスクリーンディスプレイと、
上記筐体内に配置された超音波ビームフォーマー処理回路と
を備え、
上記タッチスクリーンディスプレイと上記超音波ビームフォーマー処理回路とは、上記コンピュータに通信可能に接続されており、
上記方法は、
上記コンピュータで、上記タッチスクリーンディスプレイから第１の入力を受信することと、
上記タッチスクリーンディスプレイからの上記第１の入力に呼応して、上記超音波ビームフォーマー処理回路の動作を変更することと
を含む、ハンドヘルド医療超音波撮像デバイスを動作させる方法。
［項目３６］
上記第１の入力は、上記タッチスクリーンディスプレイ上の移動ジェスチャに対応する、項目３５に記載のハンドヘルド医療超音波撮像デバイスを動作させる方法。
［項目３７］
上記コンピュータで、上記タッチスクリーンディスプレイからの第２の入力を受信することを更に含む、項目３５又は３６に記載のハンドヘルド医療超音波撮像デバイスを動作させる方法。
［項目３８］
上記第２の入力は、上記タッチスクリーンディスプレイに対してダブルタップするジェスチャに対応する、項目３７に記載のハンドヘルド医療超音波撮像デバイスを動作させる方法。
［項目３９］
上記タッチスクリーンディスプレイからの上記第２の入力に呼応して、拡大画像を表示する仮想窓の領域内に第１のカーソルを表示することを更に含む、項目３７又は３８に記載のハンドヘルド医療超音波撮像デバイスを動作させる方法。
［項目４０］
上記コンピュータで、上記仮想窓の上記領域内で受信する第３の入力を、上記タッチスクリーンディスプレイから受信することを更に含む、項目３９に記載のハンドヘルド医療超音波撮像デバイスを動作させる方法。
［項目４１］
上記第３の入力は、上記タッチスクリーンディスプレイ上のドラッグするジェスチャに対応する、項目４０に記載のハンドヘルド医療超音波撮像デバイスを動作させる方法。
［項目４２］
上記タッチスクリーンディスプレイからの上記第３の入力に呼応して、上記第１のカーソルを、上記仮想窓の上記領域内の第１の場所に移動させることを更に含む、項目４０又は４１に記載のハンドヘルド医療超音波撮像デバイスを動作させる方法。
［項目４３］
上記コンピュータで、上記仮想窓の上記領域内の上記第１の場所で受信する第４の入力を、上記タッチスクリーンディスプレイから受信することを更に含む、項目４２に記載のハンドヘルド医療超音波撮像デバイスを動作させる方法。
［項目４４］
上記第４の入力は、上記タッチスクリーンディスプレイに対して押下するジェスチャに対応する、項目４３に記載のハンドヘルド医療超音波撮像デバイスを動作させる方法。
［項目４５］
上記コンピュータで、上記タッチスクリーンディスプレイから第２の更なる入力を受信することを更に含み、上記第２の更なる入力は、上記第４の入力と実質的に同時に受信される、項目４４に記載のハンドヘルド医療超音波撮像デバイスを動作させる方法。
［項目４６］
上記第２の更なる入力は、上記タッチスクリーンディスプレイに対するタップするジェスチャに対応する、項目４５に記載のハンドヘルド医療超音波撮像デバイスを動作させる方法。
［項目４７］
上記タッチスクリーンディスプレイからの上記第２の更なる入力に呼応して、上記第１のカーソルを、上記仮想窓の上記領域内の上記第１の場所に固定することを更に含む、項目４５又は４６に記載のハンドヘルド医療超音波撮像デバイスを動作させる方法。
［項目４８］
上記コンピュータによって、上記第１の場所の上記第１のカーソルに少なくとも部分的に基づいて、上記超音波画像に少なくとも１個の測定を行うことを更に含む、項目４７に記載のハンドヘルド医療超音波撮像デバイスを動作させる方法。
［項目４９］
上記コンピュータにおいて、上記タッチスクリーンディスプレイから第３の更なる入力を受信することを更に含む、項目４７又は４８に記載のハンドヘルド医療超音波撮像デバイスを動作させる方法。
［項目５０］
上記第３の更なる入力は、上記タッチスクリーンディスプレイに対してダブルタップするジェスチャに対応する、項目４９に記載のハンドヘルド医療超音波撮像デバイスを動作させる方法。
［項目５１］
上記タッチスクリーンディスプレイからの上記第３の更なる入力に呼応して、第２のカーソルを、上記仮想窓の上記領域内の第２の場所に表示することを更に含む、項目４９又は５０に記載のハンドヘルド医療超音波撮像デバイスを動作させる方法。
［項目５２］
上記コンピュータによって、少なくとも部分的に上記仮想窓の上記領域内の上記第１のカーソル及び上記第２のカーソルのそれぞれの場所に基づいて、上記超音波画像の少なくとも１個の測定を実行することを更に含む、項目５１に記載のハンドヘルド医療超音波撮像デバイスを動作させる方法。
［項目５３］
上記コンピュータによって、上記タッチスクリーンディスプレイから第４の更なる入力を受信することを更に含み、上記第４の更なる入力は、上記仮想窓の上記領域内で受信される、項目４７から５０のいずれか一項に記載のハンドヘルド医療超音波撮像デバイスを動作させる方法。
［項目５４］
上記第４の更なる入力は、上記タッチスクリーンディスプレイに対する押下及びドラッグするジェスチャに対応する、項目５３に記載のハンドヘルド医療超音波撮像デバイスを動作させる方法。
［項目５５］
上記タッチスクリーンディスプレイからの上記第４の更なる入力に呼応して、上記タッチスクリーンディスプレイ上に、上記第１のカーソルから上記超音波画像の少なくとも一部分を通り上記仮想窓の上記領域内の第２の場所に延びる接続ラインを提供することを更に含む、項目５３又は５４に記載のハンドヘルド医療超音波撮像デバイスを動作させる方法。
［項目５６］
上記コンピュータで、上記タッチスクリーンディスプレイから第５の更なる入力を受信することを更に含む、項目５３又は５４に記載のハンドヘルド医療超音波撮像デバイスを動作させる方法。
［項目５７］
上記第５の更なる入力は、上記タッチスクリーンディスプレイに対するタップするジェスチャに対応する、項目５６に記載のハンドヘルド医療超音波撮像デバイスを動作させる方法。
［項目５８］
上記タッチスクリーンディスプレイからの上記第５の更なる入力に呼応して、上記仮想窓の上記領域内に第２のカーソルを表示し、上記仮想窓の上記領域内の第２の場所に上記第２のカーソルを固定することを更に含む、項目５６又は５７に記載のハンドヘルド医療超音波撮像デバイスを動作させる方法。
［項目５９］
上記コンピュータにより、少なくとも部分的に上記仮想窓の上記領域内の上記第１のカーソル及び上記第２のカーソルのそれぞれの場所の間を延びる接続ラインに基づいて、上記超音波画像の少なくとも１個の測定を実行することを更に含む、項目５８に記載のハンドヘルド医療超音波撮像デバイスを動作させる方法。
［項目６０］
携帯可能な医療超音波撮像機器を動作させる方法であって、
上記携帯可能な医療超音波撮像機器は、
フロントパネルを有し、タブレットフォームファクタの筐体と、
少なくとも１つのプロセッサと少なくとも１つのメモリとを有する、上記筐体内に配置されたコンピュータと、
上記フロントパネル上に配置された、超音波画像を表示するタッチスクリーンディスプレイと、
上記筐体内に配置された超音波ビームフォーマー回路と
を備え、
上記タッチスクリーンディスプレイと超音波エンジンとは、上記コンピュータに通信可能に接続されており、
上記方法は、
上記コンピュータで、上記タッチスクリーンディスプレイから第１の入力を受信することと、
上記タッチスクリーンディスプレイからの上記第１の入力に呼応して、上記超音波画像の所定の特徴をトレースする段階と、
上記コンピュータにおいて、上記タッチスクリーンディスプレイから、上記第１の入力の一部分と実質的に同時に第２の入力を受信することと、
上記タッチスクリーンディスプレイからの上記第２の入力に呼応して、上記超音波画像の上記所定の特徴の上記トレースを完了することと
を含む、携帯可能な医療超音波撮像機器を動作させる方法。
［項目６１］
上記第１の入力は、上記タッチスクリーンディスプレイに対する押下及びドラッグするジェスチャに対応する、項目６０に記載の携帯可能な医療超音波撮像機器を動作させる方法。
［項目６２］
上記第２の入力は、上記タッチスクリーンディスプレイに対するタップするジェスチャに対応する、項目６０又は６１に記載の携帯可能な医療超音波撮像機器を動作させる方法。
［項目６３］
上記コンピュータにおいて、上記タッチスクリーンディスプレイから第３の入力を受信することを更に含む、項目６０から６２のいずれか一項に記載の携帯可能な医療超音波撮像機器を動作させる方法。
［項目６４］
上記第３の入力は、上記タッチスクリーンディスプレイに対するダブルタップするジェスチャに対応する、項目６３に記載の携帯可能な医療超音波撮像機器を動作させる方法。
［項目６５］
上記タッチスクリーンディスプレイからの上記第３の入力に呼応して、上記タッチスクリーンディスプレイの領域内に第１のカーソルを表示することを更に含む、項目６３又は６４に記載の携帯可能な医療超音波撮像機器を動作させる方法。
［項目６６］
上記コンピュータで、上記タッチスクリーンディスプレイから第４の入力を受信することを更に含む、項目６５に記載の携帯可能な医療超音波撮像機器を動作させる方法。
［項目６７］
上記第４の入力は、上記タッチスクリーンディスプレイ上のドラッグするジェスチャに対応する、項目６６に記載の携帯可能な医療超音波撮像機器を動作させる方法。
［項目６８］
上記タッチスクリーンディスプレイからの上記第４の入力に呼応して、上記タッチスクリーンディスプレイの上記領域内の第１の場所に上記第１のカーソルを移動させることを更に含む、項目６６又は６７に記載の携帯可能な医療超音波撮像機器を動作させる方法。
［項目６９］
上記コンピュータで、上記タッチスクリーンディスプレイから第５の入力を、上記タッチスクリーンディスプレイの上記領域内の上記第１の場所で、受信することを更に含む、項目６８に記載の携帯可能な医療超音波撮像機器を動作させる方法。
［項目７０］
上記第５の入力は、上記タッチスクリーンディスプレイに対する押下するジェスチャに対応する、項目６９に記載の携帯可能な医療超音波撮像機器を動作させる方法。
［項目７１］
上記コンピュータで、上記タッチスクリーンディスプレイから、上記第５の入力と実質的に同時に、第６の入力を受信することを更に含む、項目６９又は７０に記載の携帯可能な医療超音波撮像機器を動作させる方法。
［項目７２］
上記第６の入力は、上記タッチスクリーンディスプレイに対するタップするジェスチャに対応する、項目７１に記載の携帯可能な医療超音波撮像機器を動作させる方法。
［項目７３］
上記タッチスクリーンディスプレイからの上記第６の入力に呼応して、上記タッチスクリーンディスプレイの上記領域内の上記第１の場所に上記第１のカーソルを固定することを更に含む、項目７１に記載の携帯可能な医療超音波撮像機器を動作させる方法。
［項目７４］
上記超音波画像の上記所定の特徴の上記トレースは、上記超音波画像の、上記タッチスクリーンディスプレイの上記領域内の上記第１の場所の上記第１のカーソルから始まる、上記所定の特徴のトレースを含む、項目７３に記載の携帯可能な医療超音波撮像機器を動作させる方法。
［項目７５］
上記コンピュータにより、少なくとも部分的に上記超音波画像の上記所定の特徴の上記トレースに基づいて、上記超音波画像の少なくとも１個の測定を行うことを更に含む、項目６０から７４のいずれか一項に記載の携帯可能な医療超音波撮像機器を動作させる方法。
［項目７６］
フロントパネルを有する、タブレットフォームファクタ―の筐体と、
少なくとも１つのプロセッサと少なくとも１つのメモリとを有する、上記筐体内に配置されたコンピュータと、
上記筐体の上記フロントパネル上に配置され、上記コンピュータと通信可能に接続されたタッチスクリーンディスプレイと、
上記筐体内に配置され、上記コンピュータに通信可能に接続された超音波エンジンと
を備え、
上記プロセッサは、上記タッチスクリーンディスプレイ上の複数のジェスチャを検出することにより、複数の動作モードを選択的に開始する、上記メモリからの複数のプログラム命令を実行するよう動作可能であり、
上記複数の動作モードは、
複数の超音波の貫通の深さを制御する第１の動作モードと、
複数のフリーズ／ストア動作を実行する第２の動作モードと、
複数の二次元画像オペレーションを制御する第３の動作モードと、
利得制御を実行する第４の動作モードと、
色制御を実行する第５の動作モードと、
分割スクリーンディスプレイを実装する第６の動作モードと、
ＰＷ撮像を実行する第７の動作モードと、
シネ／時系列画像クリップスクロールを制御する第８の動作モードと、
複数のズーム及びパン動作を制御する第９の動作モードと、
ドップラー及び二次元ビームステアリング制御を実行する第１０の動作モードと、
ボディマークを実行する第１１の動作モード
とのうちの２又はそれ以上を含む、携帯可能な医療超音波撮像デバイス。
［項目７７］
フロントパネルを有する、タブレットフォームファクタの筐体と、
少なくとも１つのプロセッサと少なくとも１つのメモリとを有する、上記筐体内に配置されたコンピュータと、
上記筐体の上記フロントパネル上に配置され、上記コンピュータに通信可能に接続されたタッチスクリーンディスプレイと、
上記筐体内に配置され、上記コンピュータに通信可能に接続された超音波ビームフォーミング回路と
を備え、
上記超音波ビームフォーミング回路は、垂直積層されたマルチチップモジュールとして組み立てられる、携帯可能な医療超音波撮像システム。
［項目７８］
上記垂直積層されたマルチチップモジュールは、
基板と、
上記基板に平行に延びるよう、上記基板の上に搭載された、第１の集積回路チップと、
上記基板に平行に延びるよう、第１の集積回路チップに連結された第１のスペーサ層と、
上記第１のスペーサ層に平行に延びるような、第１の層の上の第２の集積回路チップと
を有する、項目７７に記載の携帯可能な医療超音波撮像システム。
［項目７９］
上記第１のスペーサ層及び第２のスペーサ層は、パッシブシリコン層である、項目７８に記載の携帯可能な医療超音波撮像システム。
［項目８０］
上記第１のスペーサ層及び第２のスペーサ層は、ダイ接着ペーストから形成される、項目７８又は７９に記載の携帯可能な医療超音波撮像システム。
［項目８１］
上記第１のスペーサ層及び第２のスペーサ層は、ダイ接着フィルムから形成される、項目７８から８０のいずれか一項に記載の携帯可能な医療超音波撮像システム。
［項目８２］
上記第１のスペーサ層及び上記第２のスペーサ層は、ワイヤ貫通機能を持つ、ダイ接着ペースト又はフィルムから形成される、項目７９に記載の携帯可能な医療超音波撮像システム。
［項目８３］
上記第１の集積回路チップ及び上記第２の集積回路チップをフレームに連結する接続メカニズムは、上記第１のスペーサ層及び上記第２のスペーサ層を貫通する、項目８２に記載の携帯可能な医療超音波撮像システム。
［項目８４］
送信／受信集積回路チップ、増幅器集積回路チップ、及び、ビームフォーマー集積回路チップは、少なくとも１６個のトランスデューサチャネルを処理する、項目７７から８３のいずれか一項に記載の携帯可能な医療超音波撮像システム。
［項目８５］
送信／受信集積回路チップ、増幅器集積回路チップ、及び、ビームフォーマー集積回路チップは、１６チャネルから６４チャネルまでの範囲の、複数のトランスデューサチャネルを処理する、項目７７から８４のいずれか一項に記載の携帯可能な医療超音波撮像システム。
［項目８６］
送信／受信集積回路チップ、増幅器集積回路チップ、及び、ビームフォーマー集積回路チップは、それぞれが、少なくとも１６のトランスデューサチャネルを処理する、項目７７から８５のいずれか一項に記載の携帯可能な医療超音波撮像システム。
［項目８７］
送信／受信集積回路チップ、増幅器集積回路チップ、及び、ビームフォーマー集積回路チップは、それぞれが、少なくとも３２のトランスデューサチャネルを処理する、項目７７から８６のいずれか一項に記載の携帯可能な医療超音波撮像システム。
［項目８８］
送信／受信集積回路チップ、増幅器集積回路チップ、及び、ビームフォーマー集積回路チップは、それぞれが、少なくとも６４のトランスデューサチャネルを処理する、項目７７から８７のいずれか一項に記載の携帯可能な医療超音波撮像システム。
［項目８９］
上記送信／受信集積回路チップ、上記増幅器集積回路チップ、及び、上記ビームフォーマー集積回路チップは、特定用途向け集積回路（ＡＳＩＣ）として実装される、項目８４に記載の携帯可能な医療超音波撮像システム。
［項目９０］
上記マルチチップモジュールは、積層マルチチップモジュール製造技術を利用して製造される、項目７７から８９のいずれか一項に記載の携帯可能な医療超音波撮像システム。
［項目９１］
上記マルチチップモジュールは、成膜マルチチップモジュール製造技術を利用して製造される、項目７７から９０のいずれか一項に記載の携帯可能な医療超音波撮像システム。
［項目９２］
上記マルチチップモジュールは、セラミックマルチチップモジュール製造技術を利用して製造される、項目７７から９１のいずれか一項に記載の携帯可能な医療超音波撮像システム。
［項目９３］
上記マルチチップモジュールは、上記超音波ビームフォーミング回路のための回路基板上に収容される、項目７７から９２のいずれか一項に記載の携帯可能な医療超音波撮像システム。
［項目９４］
上記超音波ビームフォーミング回路のための上記回路基板は更に、
上記回路基板上の上記マルチチップモジュールの上に垂直積層された１又は複数の更なるマルチチップモジュールを有し、
上記１又は複数の更なるマルチチップモジュールのそれぞれは、上記マルチチップモジュール内の積層構成に組み立てられた更なる超音波送信／受信集積回路チップ、更なる増幅器集積回路チップ、及び、更なるビームフォーマー集積回路チップを含む、項目９３に記載の携帯可能な医療超音波撮像システム。
［項目９５］
上記回路基板は、約１０ｃｍの最大長と、約１０ｃｍの最大幅とを有する、項目９４に記載の携帯可能な医療超音波撮像システム。
［項目９６］
上記回路基板は、約１００ｃｍ２の最大面積を有する、項目９４又は９５に記載の携帯可能な医療超音波撮像システム。
［項目９７］
上記システムは、上記超音波ビームフォーミング回路のための１つの回路基板の上に実装された３２のチャネルを備える、項目７７から９６のいずれか一項に記載の携帯可能な医療超音波撮像システム。
［項目９８］
上記システムは、上記超音波ビームフォーミング回路のための１つの回路基板の上に実装された６４のチャネルを備える、項目７７から９７のいずれか一項に記載の携帯可能な医療超音波撮像システム。
［項目９９］
上記システムは、上記超音波ビームフォーミング回路のための１つの回路基板を含む上記筐体にケーブルにより接続された１２８から１９２のトランスデューサチャネルからのデータを処理する、項目７７から９８のいずれか一項に記載の携帯可能な医療超音波撮像システム。
［項目１００］
上記プロセッサは、上記タッチスクリーンディスプレイの上の複数のジェスチャを検出することにより、複数の動作モードを選択的に開始させるために上記メモリからの複数のプログラム命令を実行するよう動作可能である、項目７７から９９のいずれか一項に記載の携帯可能な医療超音波撮像システム。
［項目１０１］
複数の動作モードは、
複数の超音波の貫通の深さを制御する第１の動作モードと、
複数のフリーズ／ストア動作を実行する第２の動作モードと、
複数の二次元画像オペレーションを制御する第３の動作モードと、
利得制御を実行する第４の動作モードと、
色制御を実行する第５の動作モードと、
分割スクリーンディスプレイを実装する第６の動作モードと、
ＰＷ撮像を実行する第７の動作モードと、
シネ／時系列画像クリップスクロールを制御する第８の動作モードと、
複数のズーム及びパン動作を制御する第９の動作モードと、
ドップラー及び二次元ビームステアリング制御を実行する第１０の動作モードと、
ボディマークを実行する第１１の動作モードと
のうちの２又はそれ以上を含む、項目７７から１００のいずれか一項に記載の携帯可能な医療超音波撮像システム。
［項目１０２］
基板と、
上記基板に平行に延びるよう上記基板に連結された、送信／受信集積回路チップ、増幅器集積回路チップ、及び、ビームフォーマー集積回路チップのうち第１の集積回路チップと
上記第１の集積回路チップに平行に延びるよう、上記第１の集積回路チップに連結された第１のスペーサ層と、
上記第１のスペーサ層に平行に延びるよう上記第１のスペーサ層に連結された、上記送信／受信集積回路チップ、上記増幅器集積回路チップ、及び、上記ビームフォーマー集積回路チップのうち第２の集積回路チップと、
上記第２の集積回路チップに平行に延びるよう、上記第２の集積回路チップに連結された第２のスペーサ層と、
上記第２のスペーサ層に平行に延びるよう上記第１のスペーサ層に連結された、上記送信／受信集積回路チップ、上記増幅器集積回路チップ、及び、上記ビームフォーマー集積回路チップのうち第３の集積回路チップと、
金属フレームと、
上記送信／受信集積回路チップ、上記増幅器集積回路チップ、及び、上記ビームフォーマー集積回路チップを上記金属フレームに連結する複数の接続メカニズムと
を備える、携帯可能な医療超音波撮像システムの複数の超音波専用動作を実行する超音波ビームフォーマーのためのマルチチップモジュール。
［項目１０３］
上記第１のスペーサ層及び上記第２のスペーサ層は、パッシブシリコン層である、項目１０２に記載のマルチチップモジュール。
［項目１０４］
上記第１のスペーサ層及び上記第２のスペーサ層は、ダイ接着ペーストから形成される、項目１０２又は１０３に記載のマルチチップモジュール。
［項目１０５］
上記第１のスペーサ層及び第２のスペーサ層は、ダイ接着フィルムから形成される、項目１０２から１０４のいずれか一項に記載のマルチチップモジュール。
［項目１０６］
上記第１のスペーサ層及び第２のスペーサ層は、ワイヤ貫通機能を持つ、ダイ接着ペースト又はフィルムから形成される、項目１０２から１０５のいずれか一項に記載のマルチチップモジュール。
［項目１０７］
上記集積回路チップを上記金属フレームに連結する上記複数の接続メカニズムは、上記第１のスペーサ層及び上記第２のスペーサ層を貫通する、項目１０６に記載のマルチチップモジュール。
［項目１０８］
上記送信／受信集積回路チップ、上記増幅器集積回路チップ、及び、上記ビームフォーマー集積回路チップは、それぞれが、最小で１６のチャネルを有する、項目１０２から１０７のいずれか一項に記載のマルチチップモジュール。
［項目１０９］
上記送信／受信集積回路チップ、上記増幅器集積回路チップ、及び、上記ビームフォーマー集積回路チップは、それぞれが、１６チャネルから６４チャネルまでの範囲の複数のチャネルを有する、項目１０２から１０８のいずれか一項に記載のマルチチップモジュール。
［項目１１０］
上記送信／受信集積回路チップ、上記増幅器集積回路チップ、及び、上記ビームフォーマー集積回路チップは、それぞれが、１６のチャネルを有する、項目１０２から１０９のいずれか一項に記載のマルチチップモジュール。
［項目１１１］
項目１０２から１１０のいずれか一項に記載のマルチチップモジュールを有する回路基板を備える、携帯可能な医療超音波撮像システムにおいて複数の超音波専用動作を実行する超音波エンジン。
［項目１１２］
項目１０２から１１０のいずれか一項に記載のマルチチップモジュールを複数個有する回路基板を備える、携帯可能な医療超音波撮像システムにおいて複数の超音波専用動作を実行する超音波エンジン。
［項目１１３］
上記回路基板は、約１０ｃｍの最大長と、約１０ｃｍの最大幅とを有する、項目１１２に記載の超音波エンジン。
［項目１１４］
上記基板は、約１００ｃｍ２の最大面積を有する、項目７８に記載の携帯可能な医療超音波撮像システム。
［項目１１５］
フロントパネルを有する、タブレットフォームファクタ―の筐体と提供することと、
少なくとも１つのプロセッサと少なくとも１つのメモリとを有するコンピュータを上記筐体内に配置することと、
タッチスクリーンディスプレイを上記筐体の上記フロントパネル上に配置して、上記タッチスクリーンディスプレイを上記コンピュータに通信可能に接続することと、
超音波送信／受信集積回路チップと、増幅器集積回路チップと、ビームフォーマー集積回路チップとを、超音波エンジンのための垂直積層されたマルチチップモジュールとして組み立てることと、
上記マルチチップモジュールを上記超音波エンジンに集積することと、
上記超音波エンジンを上記筐体内に配置して、上記超音波エンジンを上記コンピュータに通信可能に接続することと
を含む、携帯可能な医療超音波撮像システムを組み立てる方法。
［項目１１６］
上記垂直積層されたマルチチップモジュールを組み立てることは、
基板を提供することと、
上記送信／受信集積回路チップ、上記増幅器集積回路チップ、及び、上記ビームフォーマー集積回路チップのうち第１の集積回路チップを、上記基板に平行に延びるよう上記基板に連結することと、
第１のスペーサ層を、上記第１の集積回路チップに平行に延びるよう、上記第１の集積回路チップに連結することと、
上記送信／受信集積回路チップ、上記増幅器集積回路チップ、及び、上記ビームフォーマー集積回路チップのうち第２の集積回路チップを、上記第１のスペーサ層に平行に延びるよう上記第１のスペーサ層に連結することと、
第２のスペーサ層を、上記第２の集積回路チップに平行に延びるよう、上記第２の集積回路チップに連結することと、
上記送信／受信集積回路チップ、上記増幅器集積回路チップ、及び、上記ビームフォーマー集積回路チップのうち第３の集積回路チップを、上記第２のスペーサ層に平行に延びるよう上記第１のスペーサ層に連結することと、
金属フレームを提供することと、
上記送信／受信集積回路チップ、上記増幅器集積回路チップ、及び、上記ビームフォーマー集積回路チップを上記金属フレームに連結することと
を含む、項目１１５に記載の携帯可能な医療超音波撮像システムを組み立てる方法。
［項目１１７］
第２の超音波送信／受信集積回路チップと、第２の増幅器集積回路チップと、第２のビームフォーマー集積回路チップとを、超音波エンジンのための第２の垂直積層されたマルチチップモジュールとして組み立てることと、
上記第２の垂直積層されたマルチチップモジュールを上記超音波エンジンに集積することと
を更に含む、項目１１５又は１１６に記載の携帯可能な医療超音波撮像システムを組み立てる方法。
［項目１１８］
基板を提供することと、
送信／受信集積回路チップ、増幅器集積回路チップ、及び、ビームフォーマー集積回路チップのうち第１の集積回路チップを、上記基板に平行に延びるよう上記基板に連結することと、
第１のスペーサ層を、上記第１の集積回路チップに平行に延びるよう、上記第１の集積回路チップに連結することと、
上記送信／受信集積回路チップ、上記増幅器集積回路チップ、及び、上記ビームフォーマー集積回路チップのうち第２の集積回路チップを、上記第１のスペーサ層に平行に延びるよう上記第１のスペーサ層に連結することと、
第２のスペーサ層を、上記第２の集積回路チップに平行に延びるよう、上記第２の集積回路チップに連結することと、
上記送信／受信集積回路チップ、上記増幅器集積回路チップ、及び、上記ビームフォーマー集積回路チップのうち第３の集積回路チップを、上記第２のスペーサ層に平行に延びるよう上記第１のスペーサ層に連結することと、
金属フレームを提供することと、
上記送信／受信集積回路チップ、上記増幅器集積回路チップ、及び、上記ビームフォーマー集積回路チップを上記金属フレームに連結することと
を含む、携帯可能な医療超音波撮像システムの超音波エンジンで利用される垂直積層されたマルチチップモジュールを組み立てる方法。
［項目１１９］
携帯可能な医療超音波画像の動作方法であって、医療超音波撮像デバイスは、トランスデューサと、タッチスクリーンディスプレイと、超音波ビームフォーマー処理回路と、プロセッサとを含み、
上記方法は、
上記超音波ビームフォーマー処理回路を、上記プロセッサに通信可能に連結するよう構成することと、
上記超音波ビームフォーマー処理回路のパラメータを、上記プロセッサで制御することと、
上記タッチスクリーンディスプレイを、第１の超音波画像と第２の超音波画像とを同時に表示するよう構成することと、
上記超音波ビームフォーマー処理回路のパラメータをリセットする第１の入力タッチジェスチャを、上記プロセッサによって受信することと、
上記タッチスクリーンディスプレイからの上記第１の入力タッチジェスチャに呼応して、上記タッチスクリーンディスプレイ上に表示された上記第１の超音波画像を変更することと、
上記超音波ビームフォーマー処理回路のパラメータをリセットする第２の入力タッチジェスチャを、上記プロセッサによって受信することと、
上記タッチスクリーンディスプレイからの上記第２の入力タッチジェスチャに呼応して、上記タッチスクリーンディスプレイ上に表示された上記第２の超音波画像を変更することと
を含む、携帯可能な医療超音波画像の動作方法。
［項目１２０］
上記タッチスクリーンディスプレイを、フルスクリーンモードで動作するよう構成することを更に含む、項目１１９に記載の携帯可能な医療超音波画像の動作方法。
［項目１２１］
上記タッチスクリーンディスプレイを、アイコンに関連する静的タッチスクリーンジェスチャと、アイコンから独立したフリータッチスクリーンジェスチャとを同時に認識するよう構成することを更に含む、項目１１９又は１２０に記載の携帯可能な医療超音波画像の動作方法。
［項目１２２］
第１の超音波画像表示特性を変更するように、上記タッチスクリーン上に表示される上記第１の超音波画像に上記第１の入力タッチジェスチャを実行することと、
異なる第２の超音波画像表示特性を変更するように、上記タッチスクリーン上に表示される上記第２の超音波画像に上記第２の入力タッチジェスチャを実行することと
を更に含む、項目１１９から１２１のいずれか一項に記載の携帯可能な医療超音波画像の動作方法。
［項目１２３］
上記超音波ビームフォーマー処理回路の特性の第１のパラメータを変更するように、上記タッチスクリーン上に表示される上記第１の超音波画像に上記第１の入力タッチジェスチャを実行することと、
上記超音波ビームフォーマー処理回路の特性の別の第２のパラメータを変更するように、上記タッチスクリーン上に表示される上記第２の超音波画像に上記第２の入力タッチジェスチャを実行することと
を更に含む、項目１１９から１２２のいずれか一項に記載の携帯可能な医療超音波画像の動作方法。
［項目１２４］
第１のトランスデューサと第２のトランスデューサとが同時に動作するよう構成することを更に含む、項目１１９から１２３のいずれか一項に記載の携帯可能な医療超音波画像の動作方法。
［項目１２５］
上記第１のトランスデューサから第１の超音波画像データを受信するよう、上記タッチスクリーンディスプレイ上に表示された上記第１の超音波画像を構成することと、
上記第２のトランスデューサから第２の超音波画像データを同時に受信するよう、上記タッチスクリーンディスプレイ上に表示された上記第２の超音波画像を構成することと
を更に含む、項目１２４に記載の携帯可能な医療超音波画像の動作方法。
［項目１２６］
上記第１のトランスデューサから上記第２のトランスデューサへリアルタイム転送を実行するべく、上記タッチスクリーンディスプレイ上に表示された上記第１の超音波画像を構成することを更に含む、項目１２４又は１２５に記載の携帯可能な医療超音波画像の動作方法。
［項目１２７］
複数のビームフォーミング動作の間のリアルタイム転送を実行するように入力タッチジェスチャを受信するべく、上記タッチスクリーンディスプレイを構成することを更に含む、項目１２４から１２６のいずれか一項に記載の携帯可能な医療超音波画像の動作方法。
［項目１２８］
上記タッチスクリーンディスプレイをフルスクリーンモードで動作するよう構成することと、
アイコンに関連する静的タッチスクリーンジェスチャを、アイコンから独立したフリータッチスクリーンジェスチャに転送することと
を更に含む、項目１１９から１２７のいずれか一項に記載の携帯可能な医療超音波画像の動作方法。